【事件の表示】
　特許第３１０９１６９号「光源装置」の請求項１に係る特許に対する特許異議の申立てについて、次のとおり決定する。
【結　論】
　訂正を認める。
　特許第３１０９１６９号の請求項１に係る特許を取り消す。
【理　由】
１．手続の経緯
　特許第３１０９１６９号の請求項１に係る発明は、平成３年９月３０日に特許出願され、平成１２年９月１４日にその発明について特許権の設定登録がなされ、その後、その特許について、特許異議申立人セイコーエプソン株式会社により特許異議の申立てがなされ、取消の理由が通知され、その指定期間内である平成１３年９月２５日に訂正請求（後日取下げ）がなされた後、訂正拒絶理由が通知され、平成１３年１２月１３日に手続補正書が提出された後、再度取消の理由が通知され、その指定期間内である平成１４年２月２２日に訂正請求がなされたものである。
　
２．訂正の適否についての判断
（１）訂正の内容
　特許権者が求めている訂正の内容は以下のとおりである。
訂正事項ａ．
　特許請求の範囲の請求項１を「投光用の開口部を有する光反射面に、この光反射面に開口するとともに、上記開口部とは反対側に向って突出する筒状部が形成された反射鏡と、この反射鏡の光反射面の内側に収容され、口金が装着された一端が上記筒状部に挿入された光源と、この光源の一端に装着された口金の側面および先端と筒状部の内面との間に充填されることで光源を反射鏡に固定するための接着剤とを備えた光源装置において、上記筒状部は、上記光反射面に開口する端部の内径が、この筒状部の外方への突出端部の内径よりも小さく形成されていることを特徴とする光源装置。」と訂正する。
訂正事項ｂ．特許公報第３欄第４１行ないし同５０行の記載を「【課題を解決するための手段】そこで、本発明においては、投光用の開口部を有する光反射面に、この光反射面に開口するとともに、上記開口部とは反対側に向って突出する筒状部が形成された反射鏡と、この反射鏡の光反射面の内側に収容され、口金が装着された一端が上記筒状部に挿入された光源と、この光源の一端に装着された口金の側面および先端と筒状部の内面との間に充填されることで光源を反射鏡に固定するための接着剤とを備えた光源装置を前提とし、上記筒状部は、上記光反射面に開口する端部の内径が、この筒状部の外方への突出端部の内径よりも小さく形成されていることを特徴としている。」と訂正する。
訂正事項ｃ．特許公報第４欄第１４行「端」の次に「である口金」を挿入する。
訂正事項ｄ．特許公報第４欄第２０行「第１実施例」を「一実施例」と訂正する。
訂正事項ｅ．特許公報第４欄第２２行「図５」を「図４」と訂正する。
訂正事項ｆ．特許公報第６欄第４３行ないし第７欄第２３行「なお、本発明は、・・・勿論である。」を「なお、本発明は、上記一実施例に制約されるものではない。」と訂正する。
訂正事項ｇ．特許公報第８欄第８行「光源と」を「光源の一端の口金と」と訂正する。
訂正事項ｈ．特許公報第８欄第１８行ないし第２０行「本発明の・・・【図５】」の記載を削除する。
訂正事項ｉ．図面の【図４】を削除する。図面の【図５】を【図４】と訂正する。
　
（２）訂正の目的の適否、新規事項の有無、及び特許請求の範囲の拡張・変更の存否
　上記訂正事項ａは、特許請求の範囲の請求項１に記載された光源の一端に口金が装着されたことを限定しようとするものであるから、この訂正は特許請求の範囲の減縮を目的とした明細書の訂正に該当し、新規事項の追加に該当せず、また、実質上特許請求の範囲を拡張し、又は変更するものでもない。
　また、上記訂正事項ｂ〜ｉは上記訂正事項ａの訂正に伴い、発明の詳細な説明及び図面の記載を適合させるものであるから、明瞭でない記載の釈明を目的とする明細書の訂正に該当し、新規事項の追加に該当せず、また、実質上特許請求の範囲を拡張し、又は変更するものでもない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項の規定に適合するので、当該訂正を認める。
　
３．特許異議申立ての概要
　特許異議申立人セイコーエプソン株式会社は、甲第１号証及び参考資料１〜４を提出し、特許第３１０９１６９号の請求項１に係る発明の特許は特許法第２９条第１項第３号又は第２９条第２項の規定に違反してなされたものであるから、請求項１に係る発明の特許を取り消すべき旨主張している。
　
４．特許異議申立てについての判断
（１）本件発明
　特許第３１０９１６９号の請求項１に係る発明（以下、「本件発明」という。）は、平成１４年２月２２日付けの訂正明細書の特許請求の範囲の請求項１に記載された事項により特定される次のとおりのものである。
　「投光用の開口部を有する光反射面に、この光反射面に開口するとともに、上記開口部とは反対側に向って突出する筒状部が形成された反射鏡と、この反射鏡の光反射面の内側に収容され、口金が装着された一端が上記筒状部に挿入された光源と、この光源の一端に装着された口金の側面および先端と筒状部の内面との間に充填されることで光源を反射鏡に固定するための接着剤とを備えた光源装置において、上記筒状部は、上記光反射面に開口する端部の内径が、この筒状部の外方への突出端部の内径よりも小さく形成されていることを特徴とする光源装置。」
　
（２）引用刊行物
　当審が通知した取消の理由に引用した刊行物５（実願平１−９９９１３号（実開平３−３９２１０号）のマイクロフィルム）には次の事項が記載されている。
「第３図を参照しながら説明する。両封止型ランプ１０はその両側にそれぞれ封止部１２ａ，１２ｂを有しており、その先には導入線１４ａ，１４ｂがそれぞれ導かれている。そして、該封止部１２ａを口金１６と接合し、それを反射鏡１８に設けられた後方穴２０に挿入し、接着剤２２で固定する。」（第２頁第１０〜１６行）
　また、刊行物５の第３図の記載から、反射鏡１８に設けられた後方穴２０は光反射面に開口するとともに投光用の開口部とは反対側に向って突出する筒状部が形成されており、接着剤２２は口金１６の側面および先端と筒状部の内面との間に充填されていることが読みとれる。
　上記記載からみて、刊行物５には、次のとおりの発明（以下、「引用発明」という。）が記載されていると認められる。
「投光用の開口部を有する光反射面に、この光反射面に開口するとともに、上記開口部とは反対側に向って突出する筒状部が形成された反射鏡と、この反射鏡の光反射面の内側に収容され、口金が装着された一端が上記筒状部に挿入された光源と、この光源の一端に装着された口金の側面および先端と筒状部の内面との間に充填されることで光源を反射鏡に固定するための接着剤とを備えた光源装置」
　
　また、当審が通知した取消の理由に引用した刊行物１（実願平１−１２５６８０号（実開平３−６６１５０号）のマイクロフィルム）には次の事項が記載されている。
「反射鏡２は、例えば硼珪酸ガラスからなる碗状体であり、反射部２１の内面に可視光は反射するが赤外線を透過させる反射膜がコーティングされたコールドミラーである。そして、反射鏡２の頂部には筒状の首部２２が一体に設けられており、首部２２の内部孔がホール２３である。ここで、ホール２３は、末端側の大径部２４と反射部側の小径部２５からなり、大径部２４と小径部２５の境界に末端側に向いた段部２６が形成されている。・・・そして、このホール２３に白熱電球１のピンチシール部１２を挿入し、シリカアルミナ系の接着剤３を大径部２４から小径部２５にかけて充填し、２００℃程度の温度で２０分間程度乾燥して固化させる。・・・次に、第２図は、本考案の他の実施例の説明図であるが、ホール２３は、末端側の開口２３ａが反射部側の開口２３ｂよりも大きく、反射部側の開口２３ｂに向けて狭くなるテーパー状になっている。」（第５頁第１４行〜第６頁第１９行）第１、２図参照
　
　同じく、当審が通知した取消の理由に引用した刊行物２（実願昭６３−９９８１５号（実開平２−２２５１５号）のマイクロフィルム）には次の事項が記載されている。
「第１図に本考案の一置施例を示す。同図において１は回転放物面や回転楕円面等に形成された椀状のガラスミラーである。このガラスミラー１の内面は例えば金属蒸着膜等により光線反射面としてある。また、ガラスミラー１の底部には円形または長方形の電球挿入孔２が形成してある。この電球挿入孔２の外側には、円筒状あるいは角筒状の電球支持部３が形成してある。この電球支持部３は一般的にはガラスミラー１と同じ材料で一体的に形成するが、ガラスミラー１の底部外側に取付ける構造のものでもよい。前記電球支持部３の内壁４，４´の間隔は、同電球支持部３の外端部よりガラスミラー１に向って狭くなるように構成してある。つまり、電球支持部３が円筒形である場合には内部孔の直径がガラスミラー１に向って次第に小さくなるように構成してある。」（第４頁第５行〜第５頁第１行）第１図参照
　
　同じく、当審が通知した取消の理由に引用した刊行物３（実願昭６３−１２５０６１号（実開平２−４６３１４号）のマイクロフィルム）には次の事項が記載されている。
「凹面反射鏡（１）は図のように碗状の反射部（８）と、その底部中央に突設された取付筒（７）とで構成されており、取付筒（７）にランプ取付孔（２）が穿設されている。このランプ取付孔（２）は取付筒（７）の内外に連通しており、ランプ取付孔（２）の内周形状を外面側開口（３）から内周反射面側開口（４）に向けて次第に幅狭となるように形成してある。」（第４頁第１５行〜第５頁第１行）第１、２図参照
　
（３）対比・判断
　引用発明と本件発明とを対比すると両者は、
「投光用の開口部を有する光反射面に、この光反射面に開口するとともに、上記開口部とは反対側に向って突出する筒状部が形成された反射鏡と、この反射鏡の光反射面の内側に収容され、口金が装着された一端が上記筒状部に挿入された光源と、この光源の一端に装着された口金の側面および先端と筒状部の内面との間に充填されることで光源を反射鏡に固定するための接着剤とを備えた光源装置」で一致し、
　本件発明は、「筒状部は、上記光反射面に開口する端部の内径が、この筒状部の外方への突出端部の内径よりも小さく形成されている」のに対し、引用発明の筒状部はそのような形状となっていない点（以下、「相違点」という。）で相違している。
　そこで、上記相違点について検討する。
　投光用の開口部を有する光反射面に、この光反射面に開口するとともに、上記開口部とは反対側に向って突出する筒状部が形成された反射鏡の光反射面の内側に収容され、一端が上記筒状部に挿入された光源を接着剤で固定した光源装置の筒状部の形状を、光反射面に開口する端部の内径が、この筒状部の外方への突出端部の内径よりも小さく形成することは刊行物１〜３に記載されているように周知であり、刊行物１〜３に記載されたものには、接着剤の劣化を防止するために筒状部をこのような形状としたという課題の認識はないものの、反射鏡の筒状部に光源の一端を接着剤で固定するという引用発明と同一の技術分野において周知の構成であるから、該周知の構成を引用発明の筒状部の構成として採用し、本件発明の構成とすることが当業者にとって格別困難なことであるとは認められない。
　
（４）むすび
　以上のとおりであるから、本件発明は、刊行物５に記載されたもの及び周知技術から当業者が容易に発明をすることができたものであるから、本件発明は特許法第２９条第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年４月２４日（２００２．４．２４）
【訂正の要旨】
　【訂正の要旨】
訂正事項ａ．
　特許請求の範囲の請求項１を「投光用の開口部を有する光反射面に、この光反射面に開口するとともに、上記開口部とは反対側に向って突出する筒状部が形成された反射鏡と、この反射鏡の光反射面の内側に収容され、口金が装着された一端が上記筒状部に挿入された光源と、この光源の一端に装着された口金の側面および先端と筒状部の内面との間に充填されることで光源を反射鏡に固定するための接着剤とを備えた光源装置において、上記筒状部は、上記光反射面に開口する端部の内径が、この筒状部の外方への突出端部の内径よりも小さく形成されていることを特徴とする光源装置。」と訂正する。
訂正事項ｂ．特許公報第３欄第４１行ないし同５０行の記載を「【課題を解決するための手段】そこで、本発明においては、投光用の開口部を有する光反射面に、この光反射面に開口するとともに、上記開口部とは反対側に向って突出する筒状部が形成された反射鏡と、この反射鏡の光反射面の内側に収容され、口金が装着された一端が上記筒状部に挿入された光源と、この光源の一端に装着された口金の側面および先端と筒状部の内面との間に充填されることで光源を反射鏡に固定するための接着剤とを備えた光源装置を前提とし、上記筒状部は、上記光反射面に開口する端部の内径が、この筒状部の外方への突出端部の内径よりも小さく形成されていることを特徴としている。」と訂正する。
訂正事項ｃ．特許公報第４欄第１４行「端」の次に「である口金」を挿入する。
訂正事項ｄ．特許公報第４欄第２０行「第１実施例」を「一実施例」と訂正する。
訂正事項ｅ．特許公報第４欄第２２行「図５」を「図４」と訂正する。
訂正事項ｆ．特許公報第６欄第４３行ないし第７欄第２３行「なお、本発明は、・・・勿論である。」を「なお、本発明は、上記一実施例に制約されるものではない。」と訂正する。
訂正事項ｇ．特許公報第８欄第８行「光源と」を「光源の一端の口金と」と訂正する。
訂正事項ｈ．特許公報第８欄第１８行ないし第２０行「本発明の・・・【図５】」の記載を削除する。
訂正事項ｉ．図面の【図４】を削除する。図面の【図５】を【図４】と訂正する。
（５４）【発明の名称】
光源装置
（５７）【特許請求の範囲】
　【請求項１】投光用の開口部を有する光反射面に、この光反射面に開口するとともに、上記開口部とは反対側に向って突出する筒状部が形成された反射鏡と、
　この反射鏡の光反射面の内側に収容され、
口金が装着された
　この光源
の一端に装着された口金の側面および先端と筒状部の内面との間に充填されることで
　上記筒状部は、上記光反射面に開口する端部の内径が、この筒状部の外方への突出端部の内径よりも小さく形成されていることを特徴とする光源装置。
【発明の詳細な説明】
　【０００１】
　【産業上の利用分野】
　本発明は、プロジェクタ装置のような画像投影装置に用いられる光源装置に係り、特にその光源が固着される反射鏡の構造に関する。
　【０００２】
　【従来の技術】
　文字、表あるいは図形等の画像を拡大して投影表示する手段として、最近では、これまでの映写機に代って、プロジェクタ装置が広く用いられている。
　【０００３】
　この種のプロジェクタ装置は、図５に概略を示すように、光源１と、この光源１から放射された光を集光させる反射鏡２と、この反射鏡２で集光された光を、スクリーン等の投影面３に投射する光学系レンズ４を備えている。そして、例えば液晶プロジェクタ装置では、光学系レンズ４と光源１との間に液晶表示画面５が設けられており、この液晶表示画面５上に表示された画像が、上記投影面３に拡大されて投影されるようになっている。
　【０００４】
　このようなプロジェクタ装置に用いられる光源１は、所定の光出力を必要とするため、従来ではハロゲン電球が用いられていた。しかしながら、最近では、光源１からの放射光量を増大させたいといった要請に伴い、上記ハロゲン電球に代ってメタルハライドランプに代表される高圧放電灯が採用される傾向にある。
　【０００５】
　この高圧放電灯の発光管は、通常は、上記反射鏡２と一体化されている。この反射鏡２は、回転二次曲面をなす光反射面と、この光反射面の中央部に開口する筒状部を一体に備えており、この筒状部の内側に発光管の一端部が挿入されている。そして、この発光管は、筒状部の内側に接着剤を充填することにより、反射鏡２に固着されている。
　【０００６】
　【発明が解決しようとする課題】
　ところで、この種の反射鏡付きの高圧放電灯では、発光管を反射鏡に固着する際に、筒状部に対する発光管の挿入角度を調整し、その電極間を通るランプ軸を反射鏡の中心軸に一致させる光軸調整作業が必要となる。このため、筒状部の内径は、発光管の一端部よりも大径に形成され、これら筒状部の内面と発光管の一端部との間には、発光管の挿入角度を調整し得るだけの隙間が設けられている。
　【０００７】
　しかしながら、この構成によると、上記光軸調整用の隙間の存在により、光反射面に対する筒状部の開口が比較的大きなものとなるので、高圧放電灯の点灯時に、この放電灯から照射された光が開口を通じて接着剤に照射されてしまい、接着剤に対する光の照射面積が大きくなる。すると、高圧放電灯から照射される光のなかには、僅かながら紫外線が含まれているので、この紫外線によって接着剤の劣化が進行し、高圧放電灯の寿命末期に至ると、接着剤に亀裂やひび割れが生じることがあった。
　【０００８】
　このことから、高圧放電灯の接着強度が低下し、高圧放電灯が傾いたり、場合によっては反射鏡から脱落してしまうといった問題があった。
　【０００９】
　本発明は、このような事情にもとづいてなされたもので、光源の光軸調整を妨げることなく、この光源と筒状部との接着強度を長期に亘り充分に確保することができ、光源の固着不良や姿勢変化を防止できる光源装置の提供を目的とする。
　【００１０】
　【課題を解決するための手段】
　そこで、本発明においては、投光用の開口部を有する光反射面に、この光反射面に開口するとともに、上記開口部とは反対側に向って突出する筒状部が形成された反射鏡と、この反射鏡の光反射面の内側に収容され、口金が装着された一端が上記筒状部に挿入された光源と、この光源の一端に装着された口金の側面および先端と筒状部の内面との間に充填されることで光源を反射鏡に固定するための接着剤とを備えた光源装置を前提とし、
　上記筒状部は、上記光反射面に開口する端部の内径が、この筒状部が、この筒状部の外方への突出端部の内径よりも小さく形成されていることを特徴としている。
　【００１１】
　【作用】
　この構成によれば、筒状部は、光反射面に近づくに従い内径が小さくなっているので、光反射面に開口する端部の口径を減じることができる。このため、光源からの光が開口を通じて筒状部内に照射されても、接着剤に対する光の照射面積を従来に比べて少なく抑えることができ、その分、紫外線による接着剤の劣化を防止できる。
　【００１２】
　また、光源の光軸を調整するため、筒状部に対する光源の挿入角度を種々変化させると、この光源の挿入先端側では、光源が光反射面への開口を通過する部分に比べて筒状部の内面に近づく方向に偏位することになる。しかるに、筒状部の内径は、その外方への突出端部に進む程に大きくなっているので、光源の挿入先端である口金と筒状部の内面との間には、これまでと同様に充分な広さの隙間が確保される。したがって、光軸調整時に、光源と筒状部とが干渉し合うことはなく、光軸調整作業が妨げられずに済むことになる。
　【００１３】
　【実施例】
　以下本発明の一実施例を、図１ないし図３にもとづいて説明する。
　【００１４】
　プロジェクタ装置の全体構成は、図５に示されている通りであり、本実施例では、その光源１としてメタルハライドランプ１０が用いられている。このメタルハライドランプ１０は、ランプ電力が２２０Ｗタイプのものであり、図１や図２に示すように、石英ガラス製の細長い発光管１１を備えている。
　【００１５】
　発光管１１は、軸方向の両端に圧潰封止部１２ａ、１２ｂを有する両端封止形をなしており、この発光管１１内には、一対の電極１３ａ、１３ｂが互いに対向して収容されている。電極１３ａ、１３ｂは、金属箔導体１４ａ、１４ｂを介して外部リード線１５に接続されている。この金属箔導体１４ａ、１４ｂは、上記圧潰封止部１２ａ、１２ｂに夫々封止されている。そして、一方の圧潰封止部１２ａには、外径が約１３ｍｍの口金１６が装着されている。
　【００１６】
　電極１３ａ、１３ｂは、例えば線径が０．８ｍｍのタングステンＷからなる電極軸１７と、線径が０．６ｍｍのタングステンＷからなる電極コイル部１８とで構成され、電極コイル部１８は、上記電極軸１７の先端部に３〜４回巻回されている。そして、このような１３ａ、１３ｂ間の距離は、４〜１０ｍｍ程度に設定されている。したがって、本実施例のメタルハライドランプ１０は、極めて小形であり、点光源に近づくように構成されている。
　【００１７】
　発光管１１の内部には、緩衝金属としての所定量の水銀と、金属ハロゲン化物およびアルゴン等の希ガスが封入されている。本実施例の場合、金属ハロゲン化物は、希土類の金属ハロゲン化物とされており、よう素と臭素のハロゲンに、希土類金属であるジスプロシウムＤｙ、ホルミウムＨｏおよびツリウムＴｍが一緒に封入されている。
　【００１８】
　したがって、発光管１１内には、よう化ジスプロシウムＤｙＩ３、よう化ホルミウムＨｏＩ３、よう化ツリウムＴｍＩ３と、臭化ジスプロシウムＤｙＢｒ３、臭化ホルミウムＨｏＢｒ３、臭化ツリウムＴｍＢｒ３が封入されている。
　【００１９】
　この場合、希土類金属ハロゲン化物の全体の封入量は、２．０ｍｇ／ｃｃとされ、かつ、上記よう化希土類金属と臭化希土類金属との重量比は、１：０．５に設定されている。
　【００２０】
　このようなメタルハライドランプ１０と組み合わせて使用される反射鏡２は、例えばガラス材料にて構成された回転二次曲面の凹面鏡であり、その外径が９０〜１３０ｍｍとなっている。反射鏡２の内面は、アルミニウム等の光反射性に優れた金属を蒸着してなる光反射面２０をなしており、この光反射面２０の一端には、投光用の開口部２１が形成されている。光反射面２０の中央部には、開口部２１とは反対側に延びる筒状部２２が一体に形成されている。
　【００２１】
　筒状部２２は、全長Ｌが１５ｍｍの中空円筒状をなしており、この筒状部２２の一端には、光反射面２０に開口する連通口２３が形成されている。そして、この筒状部２２の内側に、連通口２３を通じて上記メタルハライドランプ１０の口金１６が挿入されている。この場合、筒状部２２の内面と口金１６との間には、これら両者の寸法差にもとづく隙間２４が形成されている。隙間２４は、メタルハライドランプ１０を反射鏡２に装着する際に、電極１３ａ、１３ｂの間を結ぶランプ軸が、反射鏡２の中心軸Ｘ１と一致するように、筒状部２２に対する発光管１１の挿入角度を調整するために設けたものであって、この筒状部２２内に挿入された口金１６は、耐熱性の接着剤２５を介して筒状部２２に固着されている。接着剤２５としては、例えばＡｌ２Ｏ３やＳｉＯ２を主成分とするペースト状の無機接着剤、具体的にはスミセラム（商品名：朝日化学工業株式会社）が用いられており、この接着剤２５は、筒状部２２と口金１６との間に密に充填されている。
　【００２２】
　そして、筒状部２２の内径Ｄは、光反射面２０に開口する連通口２３に進むに従い徐々に小さく形成されている。このため、筒状部２２の内面は、連通口２３側に向って所定の角度θを以て先細り状に傾斜された傾斜面２２ａをなしており、この傾斜面２２ａと口金１６との間の隙間２４は、口金１６の挿入先端に進む程に広がっている。
　【００２３】
　このような構成によれば、メタルハライドランプ１０が固着される筒状部２２の内径Ｄは、光反射面２０に開口する連通口２３側に進むに従い小さく形成されているので、この光反射面２０に開口する連通口２３の口径を小さくすることができる。このことから、ランプ点灯中、メタルハライドランプ１０からの光が連通口２３を通じて筒状部２２内に照射されても、接着剤２５に対する光の照射面積を少なく抑えることができ、その分、紫外線による接着剤２５の劣化を防止することができる。
　【００２４】
　したがって、メタルハライドランプ１０が寿命末期に至っても、接着強度を充分に確保することができ、メタルハライドランプ１０の姿勢変化や固着不良を未然に防止することができる。
　【００２５】
　また、メタルハライドランプ１０を筒状部２２に固着するに際して、そのランプ軸が反射鏡２の中心軸Ｘ１に合致するように、筒状部２２に対するメタルハライドランプ１０の挿入角度を変化させると、口金１６の挿入先端側では、メタルハライドランプ１０が連通口２３を通過する部分に比べて、筒状部２２の内面に近づく方向に大きく偏位することがある。しかるに、上記構成においては、筒状部２２の内径は、連通口２３から遠ざかるに従い次第に大きくなっているので、口金１６が大きく偏位する部分では、この口金１６と筒状部２２との間の隙間２４が広くなる。
　【００２６】
　したがって、光軸調整時に、筒状部２２と口金１６とが干渉し合うことはなく、メタルハライドランプ１０の光軸調整作業が妨げられずに済むといった利点がある。
　【００２７】
　なお、本発明者は、筒状部２２の内面の傾斜角度θが異なる複数の反射鏡２を用意し、これら各反射鏡２にメタルハライドランプ１０を接着して点灯試験を行い、点灯後１０００時間を経過した時点でのメタルハライドランプ１０の固着状況を調べたところ、図３に示されるような結果を得た。
　【００２８】
　この図３から分かるように、角度θを３〜１０（ｄｅｇ）の範囲内に設定すれば、点灯後１０００時間経過した時点での固着不良率が略３％以下に抑えられている。この理由は、角度θが３（ｄｅｇ）を下回ると、連通口２３の口径がそれ程小さくならず、接着剤２５に対する光の照射面積を少なく抑えることができないためと考えられる。また、角度θが１０（ｄｅｇ）を上回ると、筒状部２２の内面の傾斜角度が大きすぎ、接着剤２５を充填した際に、この接着剤２５が流出し易くなって、筒状部２２と口金１６との間に止まり難くなり、接着剤２５の充填密度が低下するためと考えられる。したがって、筒状部１６の傾斜角度θは、３〜１０（ｄｅｇ）の範囲内に規定することが望ましいものとなる。
　【００２９】
　なお、本発明は、上記一実施例に制約されるものではない。
　【００３０】
　さらに、本発明に係る光源装置は、プロジェクタ装置用に特定されるものではなく、その他の画像投影装置や、投光用の照明装置にも同様に適用可能である。
　【００３１】
　【発明の効果】
　以上詳述した本発明によれば、接着剤に対する光の照射面積が従来に比べて少なくなり、紫外線による接着剤の劣化を防止できるので、光源の寿命末期に至っても、接着強度を充分に確保することができ、この光源の姿勢変化や固着不良を未然に防止することができる。
　【００３２】
　また、光源の光軸調整時に、この光源の一端の口金と筒状部とが干渉し合うこともなく、光軸調整作業が妨げられずに済むといった利点がある。
【図面の簡単な説明】
　【図１】
　本発明の一実施例における光源装置の断面図。
　【図２】
　図１のＡ−Ａ線に沿う光源装置の断面図。
　【図３】
　筒状部の内面の傾斜角度と、点灯後１０００時間経過した時点での光源の固着不良率との関係を示す特性図。
　【図４】
　プロジェクタ装置の構成を概略的に示す図。
　【符号の説明】
　２…反射鏡、１０、３１…光源（メタルハライドランプ）、２０…光反射面、２１…開口部、２２…筒状部、２２ａ…内面（傾斜面）、２５…接着剤。
【図面】